(57)【要約】      （修正有）【課題】組立時の位置合わせのための調整が面倒でなく、制動効果も高い床頭台キャスタのロック・アンロック機構を提供する。【解決手段】底板１０の底面の四隅に双輪キャスタ２０を垂直軸周りに回動可能となる様に取り付け、各双輪キャスタのそれぞれに端部が届くサイズであって各双輪キャスタの付近に装着されたバネ４５によって下方に向かって付勢され、硬質ゴム製のパッド４０を車輪上部に押し付けてロックするＨ形フレーム３０を、双輪キャスタ２０と底板１０との間に配置し、足踏みペダルによって操作されるノック式回転カム部材によって、Ｈ形フレーム３０の中心部を上下方向に移動させる様に構成される。足踏みペダルの後端部６２は幅広の板材で構成され、放射状に多数の長孔が形成された硬質ゴム製のパッド４０をＨ形フレーム３０の裏面に取り付けてある。【選択図】図３
0003162983.tif 000002
【実用新案登録請求の範囲】
【請求項１】
以下の構成を備えることにより、床頭台の底面に配置される複数個のキャスターの車輪の回転を１箇所の操作部によって同時にロック状態又はアンロック状態にすることのできる床頭台キャスタのロック・アンロック機構。
（１）底板の底面の四隅に双輪キャスタを垂直軸周りに回動可能となる様に取り付けてあること。
（２）前記各双輪キャスタのそれぞれに端部が届くサイズであって、各双輪キャスタの付近に装着されたバネによって下方に向かって付勢され、硬質ゴム製のパッドを双輪キャスタの車輪上部に押し付けてロックするＨ形フレームを、該双輪キャスタと前記底板との間に配置したこと。
（３）前記Ｈ形フレームは、足踏みペダルによって操作されるノック式回転カム部材によって、その中心部を上下方向に移動される様に構成されていること。
【請求項２】
さらに、以下の構成をも備えたことを特徴とする請求項１記載の床頭台キャスタのロック・アンロック機構。
（４）前記ノック式回転カム部材は、ロックユニットケースと、該ロックユニットケースに嵌め込まれる上部カム体及び下部カム体と、該下部カム体を下方に付勢するバネとから構成されていること。
（５）前記ロックユニットケースは、円筒状の筒孔の内面に垂直方向に伸びる旋回規制用突条を等角度間隔で複数本備えていること。
（６）前記上部カム体は、下面が鋸歯状段部を有してラチェットの様に一方向にだけ回転し、逆転ができない形状の鋸歯形カム面とされた扇状カムを外周部に備えると共に、該扇状カム同士の間に、前記旋回規制用突条を挿通することができるスライド溝を備えていること。
（７）前記下部カム体は、上面中央が山形に上方へ突出する山形カム面とされた扇状カムを外周部に備えると共に、該扇状カム同士の間に、前記旋回規制用突条を挿通することができるスライド溝を備えていること。
（８）前記足踏みペダルは、前端部が前記底板の前面よりも飛び出し、後端部が前記ノック式回転カム部材の下部カム体のノック部に当接する長さとされていること。
【請求項３】
さらに、以下の構成をも備えたことを特徴とする請求項２記載の床頭台キャスタのロック・アンロック機構。
（９）前記足踏みペダルの後端部は、幅広の板材で構成されていること。
【請求項４】
さらに、以下の構成をも備えたことを特徴とする請求項１〜３のいずれか記載の床頭台キャスタのロック・アンロック機構。
（１０）前記双輪キャスタの回動中心の回りに放射状となる様に多数の長孔が形成された硬質ゴム製のパッドを前記Ｈ形フレームの裏面に取り付けてあること。
【考案の詳細な説明】
【技術分野】
【０００１】
本考案は、病院のベッド脇に備える床頭台に係り、特に、移動用に設けられるキャスタのロック・アンロックを行うための機構に関する。
【背景技術】
【０００２】
最近、複数のキャスタをまとめてロック・アンロックできる様にした床頭台が提案されている（特許文献１）。
【０００３】
特許文献１は、圧縮コイルバネの力によって自在キャスタに当接させてキャスタの回転をロックするＨ字形の金属フレームストッパを設け、移動時にはストッパ踏み上げペダルを足で踏むことでストッパを上げてキャスタを一斉に自由回転できるようにし、固定時にはストッパ復帰ペダルを足で踏むことでストッパを下げて床頭台のキャスタを一斉にロックする構造を提案している。
【０００４】
この特許文献１では、ストッパ踏み上げペダルを踏み上げた状態を保持するため、ストッパ踏み上げペダルに踏み上げ保持軸が設けられ、それを受ける踏み上げ保持軸キャッチャが設けられ、踏み上げ保持軸キャッチャには踏み上げ保持溝が設けられ、その溝が踏み上げ保持軸に嵌まるようになっていて、さらに、踏み上げ保持軸キャッチャもまた梃子の原理により引っ張りバネに引っ張られることで踏み上げ保持軸を強く受け止める機構が採用されている。
【０００５】
また、特許文献１では、踏み上げ保持軸キャッチャがストッパ復帰ペダルにもつながっており、ストッパ復帰ペダルを踏み込むことで引っ張りバネに抗して踏み上げ保持軸キャッチャを踏み上げ保持軸からはずし、これによってストッパ踏み上げペダルを元の位置に戻して金属フレームストッパを戻す機構も必要とし、このとき、ストッパ踏み上げペダルが勢いよく戻ることによる衝撃を和らげ、騒音の発生を防止すべく、オイルダンパーを設けることが必要となる点も記載している。
【０００６】
なお、特許文献１では、ゴムパッキンが金属フレームストッパの自在キャスタに当接する部分に設けられていて、金属が自在キャスタに触れ合う不快音の除去及び自在キャスタをロックする効果を高める工夫もなされている。
【先行技術文献】
【特許文献】
【０００７】
【特許文献１】実用新案登録第３１５７３１８号
【考案の概要】
【考案が解決しようとする課題】
【０００８】
特許文献１の技術は、ロック・アンロックを行う際の操作が各１回でよいことから便利な反面、部品点数が多く、しかも、これらの位置合わせも必要で組立工数が増大するという問題がある。また、ゴムパッキンが柔らかいと繰り返し操作での損傷が早く、逆に固いと制動効果が弱いという問題もある。
【０００９】
そこで、本考案は、組立時の位置合わせのための調整が面倒でなく、制動効果も高い床頭台キャスタのロック・アンロック機構を提供することを目的とする。
【課題を解決するための手段】
【００１０】
上記目的を達成するためになされた本考案の床頭台キャスタのロック・アンロック機構は、以下の構成を備えることにより、床頭台の底面に配置される複数個のキャスターの車輪の回転を１箇所の操作部によって同時にロック状態又はアンロック状態にすることのできるものである。
（１）底板の底面の四隅に双輪キャスタを垂直軸周りに回動可能となる様に取り付けてあること。
（２）前記各双輪キャスタのそれぞれに端部が届くサイズであって、各双輪キャスタの付近に装着されたバネによって下方に向かって付勢され、硬質ゴム製のパッドを双輪キャスタの車輪上部に押し付けてロックするＨ形フレームを、該双輪キャスタと前記底板との間に配置したこと。
（３）前記Ｈ形フレームは、足踏みペダルによって操作されるノック式回転カム部材によって、その中心部を上下方向に移動される様に構成されていること。
【００１１】
ここで、本考案の床頭台キャスタのロック・アンロック機構は、さらに以下の構成をも備えることが望ましい。
（４）前記ノック式回転カム部材は、ロックユニットケースと、該ロックユニットケースに嵌め込まれる上部カム体及び下部カム体と、該下部カム体を下方に付勢するバネとから構成されていること。
（５）前記ロックユニットケースは、円筒状の筒孔の内面に垂直方向に伸びる旋回規制用突条を等角度間隔で複数本備えていること。
（６）前記上部カム体は、下面が鋸歯状段部を有してラチェットの様に一方向にだけ回転し、逆転ができない形状の鋸歯形カム面とされた扇状カムを外周部に備えると共に、該扇状カム同士の間に、前記旋回規制用突条を挿通することができるスライド溝を備えていること。
（７）前記下部カム体は、上面中央が山形に上方へ突出する山形カム面とされた扇状カムを外周部に備えると共に、該扇状カム同士の間に、前記旋回規制用突条を挿通することができるスライド溝を備えていること。
（８）前記足踏みペダルは、前端部が前記底板の前面よりも飛び出し、後端部が前記ノック式回転カム部材の下部カム体のノック部に当接する長さとされていること。
【００１２】
また、この場合、さらに以下の構成をも備えることが望ましい。
（９）前記足踏みペダルの後端部は、幅広の板材で構成されていること。
【００１３】
これら本考案の床頭台キャスタのロック・アンロック機構は、さらに以下の構成をも備えることが望ましい。
（１０）前記双輪キャスタの回動中心の回りに放射状となる様に多数の長孔が形成された硬質ゴム製のパッドを前記Ｈ形フレームの裏面に取り付けてあること。
【考案の効果】
【００１４】
本考案によれば、組立時の位置合わせのための調整が面倒でなく、制動効果も高い床頭台キャスタのロック・アンロック機構を提供することができる。
【図面の簡単な説明】
【００１５】
【図１】実施例１の床頭台の斜視図である。
【図２】実施例１の床頭台の底板を示し、（Ａ）は正面図、（Ｂ）は底面図、（Ｃ）は背面図、（Ｄ）は左側面図、（Ｅ）は右側面図である。
【図３】実施例１の床頭台の底板を示し、（Ａ）はロック状態の断面図、（Ｂ）はアンロック状態の断面図である。
【図４】実施例１の床頭台の底板に用いられるノック式回転カム部材の分解斜視図である。
【図５】実施例１の床頭台の底板に用いられるノック式回転カム部材のロックユニットケースを示し、（Ａ）は斜視図、（Ｂ）はＡ方向から見た立面図、（Ｃ）はＢ方向から見た立面図、（Ｄ）は平面図である。
【図６】実施例１の床頭台の底板に用いられる上部カム体を示し、（Ａ）は斜視図、（Ｂ）は正面図、（Ｃ）は底面図である。
【図７】実施例１の床頭台の底板に用いられる下部カム体を示し、（Ａ）は斜視図、（Ｂ）は正面図、（Ｃ）は平面図である。
【図８】実施例１の床頭台の底板に用いられる円形パッドの平面図である。
【図９】実施例１の床頭台の底板におけるロック・アンロック操作におけるカムの動作状態を示す断面図である。
【考案を実施するための形態】
【００１６】
本考案を実施するための形態について実施例で説明する。
【実施例１】
【００１７】
実施例は、図１に示す様に、床頭台１の底板１０に関するものであって、底面の四隅に双輪キャスタ２０を備えている。図２，図３に示す様に、各双輪キャスタ２０は、垂直軸２１を回動中心として垂直軸周りに回動可能となる様に底板１０の底面に取り付けられている。また、双輪キャスタ２０と底板１０との間には、Ｈ形フレーム３０が配置されている。このＨ形フレーム３０は、金属製であって、各双輪キャスタ２０の垂直軸２１を差し込む挿通孔が形成されている。
【００１８】
Ｈ形フレーム３０の裏面には、挿通孔と同心円の中心孔を有する硬質ゴム製の円形パッド４０が貼り付けられている。この円形パッド４０には、図８に示す様に、中心孔４１の回りに放射状となる様に、多数の長孔４２が形成されている。また、Ｈ形フレーム３０と底板１０との間には、図２，図３に示す様に、各垂直軸２１を取り巻く様にしてコイルバネ４５が装着されている。このコイルバネ４５の付勢力によって、Ｈ形フレーム３０は円形パッド４０を双輪キャスタ２０の車輪に押し付けてロック状態とすることができる様になっている。
【００１９】
また、Ｈ形フレーム３０は、その中心部をノック式回転カム部材５０によって上下方向に移動される様に構成されている。このノック式回転カム部材５０は、ノック式ボールペンの機構と同様のものであって、図４に示す様に、ロックユニットケース５１と、上部カム体５２と、下部カム体５３とから構成されている。また、図９に示す様に、コイルバネ５４も備えられている。
【００２０】
ロックユニットケース５１は、図４，図５に示す様に、円筒状の筒孔５１ａと、その内面に垂直方向に伸びる旋回規制用突条５１ｂを１２０度間隔で３本備えている。上部カム体５２は、図４，図６に示す様に、外周部に３個の扇状カム５２ａを１２０度間隔で備え、各扇状カム５２ａ同士の間には、旋回規制用突状５１ｂを挿通することができるスライド溝５２ｂが形成された形状となっている。下部カム体５３は、図４，図７に示す様に、外周部に６個の扇状カム５３ａを６０度間隔で備え、各扇状カム５３ａ同士の間には、旋回規制用突条５１ｂを挿通することができるスライド溝５３ｂが形成された形状となっている。
【００２１】
そして、下部カム体５３の各扇状カム５３ａは、それぞれ上面中央が山形に上方へ突出する山形カム面とされ、上部カム体５２の各扇状カム５２ａは、それぞれ下面が鋸歯状段部を有してラチェットの様に一方向にだけ回転し、逆転ができない形状の鋸歯形カム面とされている。また、上部カム体５２の下方突出軸５２ｃが下部カム体５３の嵌合孔５３ｄに対して回転可能に嵌合される。
【００２２】
このノック式回転カム部材５０は、足踏みペダル６０によって操作される。足踏みペダル６０は、図１〜３に示す様に、前端部６１が底板１０の前面よりも飛び出し、後端部６２がノック式回転カム部材５０の下部カム体５３のノック部５３ｃに当接する長さとされている。なお、足踏みペダル６０の後端部６２は、図示の様に、幅広の板材で構成されている。
【００２３】
初期状態は、図９（Ａ）に示す様に、上部カム体５２の押し上げ部５２ｄが下がったロック状態である。この状態で足踏みペダル６０を１回踏むと、図９（Ｂ）に示す様に、下部カム体５３のノック部５３ｃが足踏みペダル６０の後端部６２によって押し上げられ、下部カム体５３及び上部カム体５２は、旋回規制用突条５１ｂに沿って共に上昇する。そして、上部カム体５２の扇状カム５２ａｘが旋回規制用突条５１ｂの上端をかわすことができる位置まで上昇すると、図９（Ｃ）に示す様に、上部カム体５２の扇状カム５２ａｘが下部カム体５３の扇状カム５３ａの斜面に沿って滑る様にして旋回する。そして、足踏みペダル６０から足を離すと、上部カム体５２の扇状カム５２ａｘが旋回規制用突条５１ｂに乗り上げた状態で上昇位置に留まる。これにより、押し上げ部５２ｄが上昇位置に留まり、Ｈ形フレーム３０がコイルバネ４５を押し縮めた状態に保持される。この結果、双輪キャスタ２０が自由に回転できる状態となる。
【００２４】
一方、図９（Ｄ）に示すアンロック状態において足踏みペダル６０を１回踏むと、図９（Ｅ）に示す様に、下部カム体５３のノック部５３ｃが足踏みペダル６０の後端部６２によって押し上げられ、下部カム体５３が上部カム体５２と当接し、上部カム体５２を上方へと押し上げる。そして、上部カム体５２の扇状カム５２ａｙが旋回規制用突条５１ｂの上端をかわすことができる位置まで上昇すると、図９（Ｆ）に示す様に、上部カム体５２の扇状カム５２ａｙが下部カム体５３の扇状カム５３ａの斜面に沿って滑り出す。そして、足踏みペダル６０から足を離すと、上部カム体５２の扇状カム５２ａｙが旋回規制用突条５１ｂに次のスライド溝５２ｂを嵌り込ませた状態となり、コイルバネ４５によってＨ形フレーム３０と共に押し下げられる。この結果、双輪キャスタ２０の上面に円形パッド４０が押し付けられたロック状態となる。
【００２５】
なお、下部カム体５３は、ロックユニットケース５１の底板５１ｃの中心に形成された円孔５１ｄからノック部５３ｃを下方に露出させる様に組み付けられている。
【００２６】
以上説明した様に、本実施例によれば、足踏みペダル６０を踏む毎に、４個の双輪キャスタ２０を同時にロックし、あるいはアンロックすることができる。また、ロック状態においては、円形パッド４０の放射状に形成された長孔４２の孔縁が双輪キャスタ２０に線
接触する状態となるから、硬質ゴム製であっても十分な摩擦力を加えることができる。そして、本実施例によれば、ノック式回転カム部材５０としてくみ上げられた部品をＨ形フレーム３０の中心部に位置し、ノック部５３ｃが足踏みペダル６０の後端部６２に当接する位置となる様に合わせれば足りるから、組立作業は簡単である。
【００２７】
以上、本考案の一実施例について説明したが、本考案はこの実施例に限られるものではなく、その要旨を逸脱しない範囲内においてさらに種々の形態で実施することができる。
【産業上の利用可能性】
【００２８】
ベッドサイドの床頭台に利用することができる。
【符号の説明】
【００２９】
１・・・床頭台
１０・・・底板
２０・・・双輪キャスタ
２１・・・垂直軸
３０・・・Ｈ形フレーム
４０・・・円形パッド
４２・・・長孔
４５・・・コイルバネ
５０・・・ノック式回転カム部材
５１・・・ロックユニットケース
５１ａ・・・筒孔
５１ｂ・・・旋回規制用突条
５２・・・上部カム体
５２ａ・・・扇状カム
５２ｂ・・・スライド溝
５２ｃ・・・下方突出軸
５２ｄ・・・押し上げ部
５３・・・下部カム体
５３ａ・・・扇状カム
５３ｂ・・・スライド溝
５３ｃ・・・ノック部
５３ｄ・・・嵌合孔
５４・・・コイルバネ
６０・・・足踏みペダル
６１・・・前端部
６２・・・後端部
【図１】
0003162983.tif 000003
【図２】
0003162983.tif 000004
【図３】
0003162983.tif 000005
【図４】
0003162983.tif 000006
【図５】
0003162983.tif 000007
【図６】
0003162983.tif 000008
【図７】
0003162983.tif 000009
【図８】
0003162983.tif 000010
【図９】
0003162983.tif 000011